(57)【特許請求の範囲】
【請求項１】
屋根傾斜面又は壁面鉛直方向に沿った多段で横葺きされた複数の成形金属板に化粧瓦棒を屋根傾斜方向又は壁面鉛直方向に関して所定の傾斜取付け角度で取り付ける際に使用される傾斜取付け金具であって、上段側成形金属板と下段側成形金属板の隙間に着座面が挿し込まれる着座片と、該着座片の固着面に固着された挟持片と、着座片の固着面と挟持片の固着面との間に形成される差込空間に係止突片が差し込まれる押え金具と、着座片及び押え金具に差し通され、ナットが締め付けられる連結ボルトを備え、
前記着座片の着座面は、固着面との間の面角度が垂直で、両側部と固着面側の角部との間の角度が化粧瓦棒の傾斜取付け角度に等しく設定され、
前記挟持片の固着面は、化粧瓦棒を内側から支持する支持稜で周縁が区画され、固着面の両側から傾斜取付け角度に等しい角度で折り曲げられた挟持腕が延びており、
前記押え金具は、隣り合う辺の間の角度が傾斜取付け角度に等しく設定され、係止突片と反対側の辺から押え舌片が係止突片と反対方向に突出しており、
着座片及び押え金具に差し通した連結ボルトにナットを締め付けることにより押え金具の押え舌片が成形金属板の表面に押し付けられ、成形金属板の表面と挟持片の挟持腕との隙間で化粧瓦棒の内側に折り曲げた挿し込み片が支持されることを特徴とする化粧瓦棒の傾斜取付け金具。
【請求項２】
着座面から挟持腕下縁までの高さが成形金属板の厚みより若干大きくなるように、幅広の挟持腕が固着面の両側から幅広の挟持腕が折り曲げられている請求項１記載の傾斜取付け金具。
【発明の詳細な説明】
【０００１】
【産業上の利用分野】
本発明は、複数の成形金属板を横葺きして構築された屋根，壁面等に化粧瓦棒を傾斜状態で装着する取付け金具に関する。
【０００２】
【従来技術及び問題点】
比較的軽量で強度的にも優れている成形金属板は、躯体に加わる負荷が小さく、釘，ビス等の固着具で容易に固定できるため、一般家屋，公共建築物の屋根板，壁材等に使用されている。
成形金属板を使用する屋根，壁面等の施工では、所定サイズの成形金属板を屋根傾斜面方向又は壁面垂直方向に沿って多段に積み上げ、各段の成形金属板を瓦棒で押さえる工法が採用されている。瓦棒は、得てして平面的な印象を与えがちな屋根，壁面に変化を付け、建築物の意匠性を向上させる。
従来の瓦棒は、たとえば金属屋根板を敷設した屋根面では、間口に直交する屋根傾斜面方向に沿って多段の金属屋根板にわたって装着される。このような装着形態では、多様化が著しい嗜好に十分対応できない。
【０００３】
【課題を解決するための手段】
本発明は、このような問題を解消すべく案出されたものであり、建築物の意匠性を高めるため、屋根傾斜面方向又は壁面垂直方向に対し傾斜した状態で化粧瓦棒を取り付けることを可能にした傾斜取付け金具を提供することを目的とする。
本発明の傾斜取付け金具は、その目的を達成するため、屋根傾斜面又は壁面鉛直方向に沿った多段で横葺きされた複数の成形金属板に化粧瓦棒を屋根傾斜方向又は壁面鉛直方向に関して所定の傾斜取付け角度で取り付ける際に使用される傾斜取付け金具であって、上段側成形金属板と下段側成形金属板の隙間に着座面が挿し込まれる着座片と、該着座片の固着面に固着された挟持片と、着座片の固着面と挟持片の固着面との間に形成される差込空間に係止突片が差し込まれる押え金具と、着座片及び押え金具に差し通され、ナットが締め付けられる連結ボルトを備えている。
【０００４】
着座片の着座面は、固着面との間の面角度が垂直で、両側部と固着面側の角部との間の角度が化粧瓦棒の傾斜取付け角度に等しく設定されている。挟持片の固着面は、化粧瓦棒を内側から支持する支持稜で周縁が区画され、固着面の両側から傾斜取付け角度に等しい角度で折り曲げられた挟持腕が延びている。押え金具は、隣り合う辺の間の角度が傾斜取付け角度に等しく設定され、係止突片と反対側の辺から押え舌片が係止突片と反対方向に突出している。挟持腕は、着座面から挟持腕下縁までの高さが成形金属板の厚みより若干大きくなる幅広に成形すると、化粧瓦棒が一層安定して装着される。
【０００５】
【実施の形態】
本発明の傾斜取付け金具Ａは、図１の分解斜視図に示すように、着座片１０に挟持片２０をリベット，ボルト等の固着具２１で固定し、押え金具３０の係止突片３１が着座片１０と挟持片２０との間の差込空間２２に挿し込まれた構造をもっている。
着座片１０は、断面がほぼＬ型の形状をもち、挟持片２０の固着面２３に面接触する固着面１１に開口部１２が穿設され、開口部１２からＬ型先端側に隆起部１３が形成されている。着座片１０の固着面１１に挟持片２０の固着面２３を位置合せし、両者を固着具２１で固定するとき、固着面１１と固着面２３との間に差込空間２２が形成される。
【０００６】
固着面１１の後端から、着座面１４が折り曲げられている。固着面１１と着座面１４との間の面角度は直角に設定され、固着面１１／着座面１４角部と着座面１４の縁との間の角度が化粧瓦棒の傾斜取付け角度αに等しく設定されている。着座面１４の先端は、僅かな傾斜角度で立ち上がった弾力付与部１５になっている。弾力付与部１５は、屋根，壁面等に多段敷設された成形金属板６４（図３ｂ，ｃ）の間に差し込むと弾性復元し、差込み状態を安定化させる。
固着面１１，着座面１４の幅方向両側は切り起こされた突条１６となり、突条１６の若干内側にリブ１７が形成されている。突条１６，リブ１７は、着座片１０を補強する作用を呈する。着座面１４のほぼ中央には、矩形状のボルト挿通用開口１８が穿設されており、ボルト挿通用開口１８の周辺が盛り上がった補強部１９になっている。
【０００７】
挟持片２０は、着座片１０の固着面１１に固定される固着面２３の輪郭が化粧瓦棒を内側から支持する支持稜２４になっている。支持稜２４は、化粧瓦棒の断面形状に対応する形状に成形されており、たとえば将棋駒形状の化粧瓦棒を使用した施工では図示する五角形に成形されている。
固着面２３の両側から挟持腕２５が折り曲げられている。固着面２３と挟持腕２５との間の面角度は傾斜取付け角度αに等しく設定されている。挟持腕２５は、必要に応じて化粧瓦棒を固着するための固着具挿通用長孔２６が先端近傍に穿設され、幅広の挟持腕２７とすることもできる。
【０００８】
押え金具３０は、隣り合う辺の間の角度が傾斜取付け角度αに設定された平行四辺形状に成形されており、一方の縁部から突出した部分を折り曲げて係止突片３１とし、他方の縁部を反対方向に折り曲げて押え舌片３２を形成している。突条３３，リブ３４によって押え金具３０の剛性を高めることは、着座片１０と同様である。押え金具３０のほぼ中央にボルト挿通用の長孔３５が形成されており、長孔３５の周囲が補強及び弾力付与用に盛り上げられた隆起部３６になっている。押え舌片３２には、成形金属板を弾力付与部１５との間で挟みつける際に弾性変形し、成形金属板の疵付きを防止する合成樹脂製のキャップ３７を必要に応じて装着することもできる。
【０００９】
傾斜取付け金具Ａは、押え金具３０の係止突片３１を着座片１０の開口部１２に差込み、挟持片２０の固着面２３と着座片１０隆起部１３との間に係止突片３１を挟んだ後、ボルト挿通用開口１８及び長孔３５に連結ボルト４０を挿し込み、ワッシャ４１を装着してナット４２を嵌め合わせることによって組み立てられる。連結ボルト４０は、ネジ付き脚部４３の基部に矩形状の回り止め部４４が形成されている。回り止め部４４は、矩形状のボルト挿通用開口１８に嵌まり込み、回り止めされる。連結ボルト４０に嵌めたナット４２を回転させると、ネジ付き脚部４３のねじ山がナット４２の雌ネジと噛み合って押え金具３０が着座片１０方向に付勢される。組み立てられた傾斜取付け金具Ａを、図２に正面図（ａ），平面図（ｂ）及び側面図（ｃ）でそれぞれ示す。
【００１０】
傾斜取付け金具Ａを用いて取り付けられる化粧瓦棒は、金属切板を将棋駒型，半円筒状等の所定断面形状に成形したものであり、図３（ａ）には将棋駒型断面形状をもつ化粧瓦棒５０を示している。
化粧瓦棒５０は、挟持片２０の支持稜２４に対応する４辺で区画される将棋駒型断面形状をもち、左側側壁５１Ｌ，右側側壁５１Ｒが内側に折り返されて挿し込み片５２Ｌ，５２Ｒになっている。挿し込み片５２Ｌ，５２Ｒは、一枚の金属切板を所定形状に裁断した後で折り曲げ加工によって成形されるものであるから、化粧瓦棒５０の長手方向に沿って（図３では下から上方向に）幅が狭くなっている。
【００１１】
挿し込み片５２Ｌ，５２Ｒの幅が最も狭くなっている端部から段差対応辺５３Ｌ，５３Ｒが立ち上がり、狭幅の折返し片５４Ｌ，５４Ｒを経て次の挿し込み片５２Ｌ，５２Ｒに連なっている。左側段差対応辺５３Ｌと右側段差対応辺５３Ｒとを結ぶ直線Ｌ−Ｌと化粧瓦棒５０の長手方向を結ぶ直線Ｃ−Ｃとの間が、化粧瓦棒５０の傾斜取付け角度αに設定されている。
化粧瓦棒５０は、複数段の成形金属板にわたって取り付けられるように、成形金属板を施工した屋根の傾斜方向又は壁面の鉛直方向に沿って２〜６段の長さに設定されている。化粧瓦棒５０の長手方向端部は、装着時の作業安全性及び化粧瓦棒５０自体の補強のため折返し部５５となっている。
【００１２】
化粧瓦棒５０が装着される壁面は、図３（ｂ）に示すように躯体６０に固着したブラケット６１で金属製タルキ６２を支持している。防水シート６３を金属製タルキ６２に張設した後で、成形金属板６４を垂直方向に多段に取り付けている。成形金属板６４は、金属切板の曲げ加工によって吊り子６４ａが一体成形されたものである。下段側に配置された成形金属板６４の吊り子６４ａに上段側成形金属板６４の折返し端部６４ｂを噛み合わせることによって垂直方向の成形金属板６４が相互に連結される。吊り子６４ａを一体成形した金属屋根板は本発明者が特開平７−３１７２２９号公報で紹介したものであるが、同様な方法で壁面用の成形金属板６４を作製できる。
【００１３】
多段配置された成形金属板６４に対し、次の手順で化粧瓦棒５０が取り付けられる。
先ず、下段成形金属板６４の上部近傍にある吊り子６４ａと上段成形金属板６４の下端に成形した折返し端部６４ｂの内側面との間に、吊り子６４ａに当接するまで着座片１０の弾力付与部１５を差し込み、ナット４２を連結ボルト４０に締め付ける（図３ｃ）。ナット４２の締付けによって押え舌片３２が成形金属板６４の表面６４ｃに押し付けられ、吊り子６４ａ及び折返し端部６４ｂを弾力付与部１５と押え舌片３２との間で挟みつけることによって傾斜取付け金具Ａが固着される。
着座面１４の先端に形成されている弾力付与部１５が着座面１４の側縁に対して傾斜角度αで傾斜しているため、固着された傾斜取付け金具Ａの挟持腕２５は、成形金属板６４の上辺，下辺に対して傾斜角度αで傾斜する。
【００１４】
壁面の鉛直方向に関して所定の傾斜取付け角度αで且つ所定の段差間隔で複数の傾斜取付け金具Ａを成形金属板６４に固着した後、化粧瓦棒５０の左側挿し込み片５２Ｌと右側挿し込み片５２Ｒとの間を開きながら傾斜取付け金具Ａに被せ、挿し込み片５２Ｌ，５２Ｒが挟持腕２５を乗り越えた時点で力を解除すると、弾性復元力によって左右の挿し込み片５２Ｌ，５２Ｒが成形金属板６４の表面６４ｃと挟持腕２５との隙間に嵌まり込む。嵌め合せに際しては、上段成形金属板６４と下段成形金属板６４との合せ目に化粧瓦棒５０の段差対応辺５３Ｌ，５３Ｒを一致させ、成形金属板６４の段差に段差対応辺５３Ｌ，５３Ｒを一致させる。その結果、化粧瓦棒５０は、多段敷設されている成形金属板６４との間に隙間が生じることなく成形金属板６４に取り付けられる。
【００１５】
成形金属板６４に取り付けられた化粧瓦棒５０は、ビス，ボルト等の固着具を側壁５１Ｌ，５１Ｒに貫通させて長孔２６に挿し込み固定することによって壁面に強固に固着される。固着具のない個所でも挟持腕２５と成形金属板６４の表面６４ｃとの間で化粧瓦棒５０が強固に固定されることから、敷設成形金属板６４の各段で固着具を使用する必要はなく、複数段間隔で化粧瓦棒５０を固着具によって固定すれば十分である。また、幅広の挟持腕２７をもつ傾斜取付け金具Ａを使用するとき、挟持腕２７と表面６４ｃとの間にできる僅かな隙間で挿し込み片５２Ｌ，５２Ｒが挟持されるため、化粧瓦棒５０の固着状態が一層安定化する。
【００１６】
化粧瓦棒５０の段差対応辺５３Ｌ，５３Ｒの間に角度αを付けているため、壁面鉛直方向に対して同じ角度αで傾斜した状態で壁面に取り付けられる。以上の傾斜取付け金具Ａ及び化粧瓦棒５０では、左方向に傾斜する化粧瓦棒５０の取付けに使用される。右方向に傾斜した化粧瓦棒５０を取り付ける場合、図１，２で角度αを逆方向に設定した傾斜取付け金具Ａ及び図３（ａ）で角度αを逆方向に設定した化粧瓦棒５０が使用される。化粧瓦棒５０の傾斜方向を適宜変更することにより、化粧瓦棒５０が左右に傾斜した極めて識別性の高い壁面（図５）が構築される。
【００１７】
【発明の効果】
以上に説明したように、本発明の傾斜取付け金具は、横葺きされた成形金属板に化粧瓦棒を取り付ける際、屋根傾斜面や壁面鉛直方向に対して化粧瓦棒の長手方向が所定の傾斜取付け角度となる化粧瓦棒の傾斜配置を可能にしている。そのため、成形金属板を横葺きした金属屋根や壁面に見られがちな平坦な印象が抑えられ、意匠性に優れた建築物が構築される。
【図面の簡単な説明】
【図１】  本発明に従った傾斜取付け金具（左用）の分解斜視図
【図２】  同傾斜取付け金具の正面図（ａ），平面図（ｂ）及び側面図（ｃ）
【図３】  傾斜取付けされる化粧瓦棒の部分斜視図（ａ），化粧瓦棒を取り付けた壁面の部分断面図（ｂ）及び化粧瓦棒の固着部を示す詳細断面図（ｃ）
【図４】  化粧瓦棒を傾斜状態で取り付けた壁面の一例
【符号の説明】
Ａ：傾斜取付け金具    α：傾斜取付け角度
１０：着座片    １１：固着面    １４：着座面    １５：弾力付与部    ２０：挟持片    ２３：固着面    ２４：支持稜    ２５：挟持腕    ３０：押え金具    ３１：係止突片    ３２：押え舌片    ４０：連結ボルト    ４２：ナット
５０：化粧瓦棒    ５２Ｌ，５２Ｒ：挿し込み片    ６４：成形金属板    ６４ａ：吊り子    ６４ｂ：折返し端部    ６４ｃ：表面
【図１】
0004610774.tif 000002
【図２】
0004610774.tif 000003
【図３】
0004610774.tif 000004
【図４】
0004610774.tif 000005